(57)【特許請求の範囲】
【請求項１】
少なくともメニュー用データおよびタイトル用データを含むデータの再生を行わせる再生装置であって、
前記データを取得するデータ取得部と、
ユーザの操作を受け付けるユーザ操作部と、
前記メニュー用データを再生する第１の再生部および前記タイトル用データを再生する第２の再生部と、
前記第１の再生部および前記第２の再生部から再生状態を示す状態通知を受けて前記データの再生状態を記憶して管理する状態管理部と、
前記データの再生の制御を行う制御部とを備え、
前記制御部は、
前記ユーザ操作部からの操作情報と前記状態管理部からの再生状態の情報とを解析し、
前記データの再生状態が、前記メニュー用データおよび前記タイトル用データを同時に再生する状態である場合で、前記制御部が、前記第２の再生部からタイトル終了の状態通知又は前記タイトル用データ中のメニューを有効とする状態通知を受け取ったときは、前記第１の再生部に前記メニュー用データの再生を終了させる制御を行うことを特徴とする再生装置。
【請求項２】
少なくともメニュー用データおよびタイトル用データを含み、前記メニュー用データにはコマンドを含むデータの再生を行わせる再生装置であって、
前記データを取得するデータ取得部と、
ユーザの操作を受け付けるユーザ操作部と、
前記メニュー用データを再生する第１の再生部および前記タイトル用データを再生する第２の再生部と、
前記第１の再生部および前記第２の再生部から再生状態を示す状態通知を受けて前記データの再生状態を記憶して管理する状態管理部と、
前記データの再生の制御を行う制御部とを備え、
前記制御部は、
前記ユーザ操作部からの操作情報と前記状態管理部からのデータの再生状態の情報とを解析し、メニュー用データとタイトル用データの両方が再生状態で、操作情報がコマンド実行を指示していた場合、
前記第１の再生部に、コマンドを実行させるとともに前記制御部にコマンド実行に関する状態通知を出力させ、
前記第１の再生部が出力した状態通知に基づき、前記第２の再生部のみに再生させることを特徴とする再生装置。
【請求項３】
前記メニュー用データのコマンドが、前記タイトル用データの再生開始位置の制御に関するものであった場合、前記制御部は、前記第２の再生部に対し、該開始位置から再生するよう制御することを特徴とする請求項２に記載の再生装置。
【請求項４】
前記メニュー用データのコマンドが、前記タイトル用データの再生状態の制御に関するものであった場合、前記制御部は、前記第２の再生部に対し、再生状態を変更するよう制御することを特徴とする請求項２に記載の再生装置。
【請求項５】
前記第１の再生部および前記第２の再生部から取得したデータを合成して出力する出力部を備え、前記制御部は、データの再生状態を決定し、前記出力部からの出力形態を制御することを特徴とする請求項１から請求項４のいずれか１つに記載の再生装置。
【請求項６】
前記第１の再生部および前記第２の再生部それぞれからデータを取得して出力する第１の出力部および第２の出力部を備え、前記制御部は、データの再生状態を決定し、前記第１の出力部および前記第２の出力部からの出力形態を制御することを特徴とする請求項１から請求項５のいずれか１つに記載の再生装置。
【請求項７】
前記データの再生状態が、前記メニュー用データおよび前記タイトル用データを同時に再生する状態であった場合に、前記制御部は、タイトルを出力する前記第２の出力部にメニューの再生状態に関する表示を行わせるよう制御することを特徴とする請求項６に記載の再生装置。
【請求項８】
前記制御部は、前記ユーザ操作部からの操作情報を、前記第１の再生部と前記第２の再生部に振り分けて伝達することを特徴とする請求項１から請求項７のいずれか１つに記載の再生装置。
【請求項９】
前記メニュー用データを格納する記録部を備え、前記第１の再生部は、前記メニュー用データを、前記データ取得部又は前記記録部から取得して、再生することを特徴とする請求項１から請求項８のいずれか１つに記載の再生装置。
【請求項１０】
前記制御部は、前記メニュー用データおよび前記タイトル用データを再生する場合に、該メニュー用データと該タイトル用データの同時再生の可否、表示位置、表示サイズ又は表示比率の少なくとも１つを制御することを特徴とする請求項１から請求項９のいずれか１つに記載の再生装置。
【請求項１１】
少なくともメニュー用データおよびタイトル用データを含むデータの再生を行わせるデータ再生方法であって、
前記データを取得するデータ取得ステップと、
ユーザの操作を受け付けるユーザ操作ステップと、
前記メニュー用データを再生する第１の再生部および前記タイトル用データを再生する第２の再生部から再生状態を示す状態通知を受けて前記データの再生状態を記憶して管理する状態管理ステップと、
前記ユーザ操作ステップで受け付けた操作情報と前記状態管理ステップで記憶した再生状態の情報とを解析し、前記データの再生状態が、前記メニュー用データおよび前記タイトル用データを同時に再生する状態である場合で、前記第２の再生部からタイトル終了の状態通知又は前記タイトル用データ中のメニューを有効とする状態通知を受け取ったときは、前記第１の再生部に前記メニュー用データの再生を終了させる制御ステップと、
を備えることを特徴とするデータ再生方法。
【請求項１２】
少なくともメニュー用データおよびタイトル用データを含み、前記メニュー用データにはコマンドを含むデータの再生を行わせるデータ再生方法であって、
前記データを取得するデータ取得ステップと、
ユーザの操作を受け付けるユーザ操作ステップと、
前記メニュー用データを再生する第１の再生部および前記タイトル用データを再生する第２の再生部から再生状態を示す状態通知を受けて前記データの再生状態を記憶して管理する状態管理ステップと、
前記第１の再生部が、該コマンドを実行するとともに前記制御部にコマンド実行に関する状態通知を出力して、前記ユーザ操作ステップで受け付けた操作情報と前記状態管理ステップで記憶した再生状態の情報とを解析し、前記第１の再生部および前記第２の再生部それぞれに前記メニュー用データと前記タイトル用データの再生を行わせるよう制御し、前記状態通知に基づき、前記第２の再生部を制御する制御ステップと、
を備えることを特徴とするデータ再生方法。
【請求項１３】
請求項１１から１２のいずれかに記載のデータ再生方法をコンピュータに実行させることを特徴とする制御プログラム。
【請求項１４】
請求項１３に記載の制御プログラムをコンピュータ読み取り可能に記録したことを特徴とする記録媒体。
【発明の詳細な説明】
【技術分野】
【０００１】
本発明は、ビデオ再生を制御するデータ再生技術に関する。
【背景技術】
【０００２】
近年、ＤＶＤ（Ｄｉｇｉｔａｌ  Ｖｅｒｓａｔｉｌｅ  Ｄｉｓｋ）ビデオ規格に準拠したコンテンツが有償・無償を問わず様々出回ってきており、映像鑑賞を行なう記録媒体としては、主流となっている。
【０００３】
ＤＶＤビデオ規格では、映画等の本編に対応する「タイトル」と、タイトルに関する各種機能を提供する「メニュー」が定義されている。メニューは、例えば、ディスク挿入後やタイトル再生終了後、あるいはタイトル再生中にメニューキーを押下した場合に表示される。メニューでは、タイトル中の特定の時刻（チャプタ）から直接再生開始できるチャプタメニュー、音声/字幕を選択する音声メニュー/字幕メニュー又は特典映像を選べる特典メニューなどが提供される。
メニューがあることで、ＤＶＤは単なる記録媒体とならず、利便性の高い機能を提供できる媒体となっているのである。
【０００４】
しかし、上記メニューを表示しようとすると、一旦タイトル再生を中断しなければならない、という問題がある。メニューから戻った際に中断した箇所から再生継続できるレジューム機能はあるものの、一旦中断することにより、コンテンツ視聴の連続性が失われて興がそがれてしまうおそれがある。
【０００５】
そこで、メニュー表示時に、タイトル再生を中断させないために、メニューとタイトルを同時に出力・再生することが考えられる。
【０００６】
ＤＶＤから映像データを読み出して、複数の映像を同時に出力するものとして、例えば、複数のエンコーダと複数の出力端子を備えた再生装置に、異なるアングルの映像信号を複数の表示装置に同時に出力、又は１つの表示装置の画面を複数に分割して各分割画面に表示させるように映像信号を出力させる技術が開示されている（例えば、特許文献１参照）。
【０００７】
また、ＤＶＤ等にデータを記録あるいは再生する記録再生装置において、記録と再生を同時に行わせ、１つの表示装置に記録画像と再生画像を同時に表示させる技術が開示されている（例えば、特許文献２参照）。
【特許文献１】特開２００３−１３４４７１号公報
【特許文献２】特開２００３−３０９８０７号公報
【発明の開示】
【発明が解決しようとする課題】
【０００８】
しかしながら、特許文献１の技術では、同時に複数の画像を表示させることができるが、タイトルを再生しながらメニューを表示させるような、映像再生中にユーザ操作により制御を行うインタラクティブな機能の提供を行なうことはできない。
【０００９】
また、特許文献２の技術では、映像記録中に、映像の再生及び停止の操作を行なうことができるが、これは、それぞれ別個に動作中の機能について表示・制御を行うものであり、タイトルとメニューといったように、メニューの操作如何では、タイトルの制御が関わる、相互に関連した機能に基づくものについて表示・制御を行なうものではなかった。
【００１０】
次世代ＤＶＤ規格の一つであるＢｌｕ−ｒａｙ  Ｄｉｓｃ規格ではこのことを考慮して、「ポップアップメニュー」と呼ばれる、タイトル再生中にメニューをオーバーレイして表示する機能を備えている。
【００１１】
しかしながら、その機能を使用するためには、前記次世代ＤＶＤ規格でオーサリングし直す必要があり、膨大でしかも現在も急速に増えつつあるあるＤＶＤ規格のコンテンツ資産に対して現実的ではない。また、ポップアップメニュー機能を使用するようコンテンツがオーサリングされていなければ、ＤＶＤ規格と同じ問題が生じることは言うまでもない。
【００１２】
本発明は、上記の問題点を解決するためになされたもので、その目的は、ポップアップメニュー機能に非対応のコンテンツにおいても、タイトル再生中にタイトル再生を中断することなくメニューを表示することのできる再生装置、データ再生方法、制御プログラムおよび記録媒体を提供することにある。
【課題を解決するための手段】
【００１３】
斯かる実情に鑑み、本発明による再生装置は、少なくともメニュー用データおよびタイトル用データを含むデータの再生を行わせる再生装置であって、前記データを取得するデータ取得部と、ユーザの操作を受け付けるユーザ操作部と、前記メニュー用データを再生する第１の再生部および前記タイトル用データを再生する第２の再生部と、前記第１の再生部および前記第２の再生部から再生状態を示す状態通知を受けて前記データの再生状態を記憶して管理する状態管理部と、前記データの再生の制御を行う制御部とを備え、前記制御部は、前記ユーザ操作部からの操作情報と前記状態管理部からの再生状態の情報とを解析し、前記データの再生状態が、前記メニュー用データおよび前記タイトル用データを同時に再生する状態である場合で、前記制御部が、前記第２の再生部からタイトル終了の状態通知又は前記タイトル用データ中のメニューを有効とする状態通知を受け取ったときは、前記第１の再生部に前記メニュー用データの再生を終了させる制御を行うことを特徴とする。
また本発明による再生装置は、少なくともメニュー用データおよびタイトル用データを含み、前記メニュー用データにはコマンドを含むデータの再生を行わせる再生装置であって、前記データを取得するデータ取得部と、ユーザの操作を受け付けるユーザ操作部と、前記メニュー用データを再生する第１の再生部および前記タイトル用データを再生する第２の再生部と、前記第１の再生部および前記第２の再生部から再生状態を示す状態通知を受けて前記データの再生状態を記憶して管理する状態管理部と、前記データの再生の制御を行う制御部とを備え、前記第１の再生部は、該コマンドを実行するとともに前記制御部にコマンド実行に関する状態通知を出力し、前記制御部は、前記ユーザ操作部からの操作情報と前記状態管理部からのデータ再生状態の情報とを解析し、前記第１の再生部および前記第２の再生部それぞれに前記メニュー用データと前記タイトル用データの再生を行わせるよう制御し、前記状態通知に基づき、前記第２の再生部を制御することを特徴とする。
ここで、前記メニュー用データのコマンドが、前記タイトル用データの再生開始位置の制御に関するものであった場合、前記制御部は、前記第２の再生部に対し、該開始位置から再生するよう制御してもよいし、
また、前記メニュー用データのコマンドが、前記タイトル用データの再生状態の制御に関するものであった場合、前記制御部は、前記第２の再生部に対し、再生状態を変更するよう制御してもよい。
【００１４】
また、本発明による再生装置は、前記第１の再生部および前記第２の再生部から取得したデータを合成して出力する出力部を備え、前記制御部は、データの出力状態を決定し、前記出力部からの出力形態を制御することを特徴とする。
【００１５】
また、本発明による再生装置は、前記第１の再生部および前記第２の再生部それぞれからデータを取得して出力する第１の出力部および第２の出力部を備え、前記制御部は、データの出力状態を決定し、前記第１の出力部および前記第２の出力部からの出力形態を制御することを特徴とする。
【００１６】
また、本発明による再生装置は、前記データの出力状態が、前記メニュー用データおよび前記タイトル用データを同時に再生する状態であった場合に、前記制御部は、タイトルを出力する前記第２の出力部にメニューの再生状態に関する表示を行わせるよう制御することを特徴とする。
【００１７】
また、本発明による再生装置は、前記制御部が、前記ユーザ操作部からの操作情報を、前記第１の再生部と前記第２の再生部に振り分けて伝達することを特徴とする。
【００２２】
また、本発明による再生装置は、前記メニュー用データを格納する記録部を備え、前記第１の再生部は、前記メニュー用データを、前記データ取得部又は前記記録部から取得して、再生することを特徴とする。
【００２３】
また、本発明による再生装置は、前記制御部が、前記メニュー用データおよび前記タイトル用データを再生する場合に、該メニュー用データと該タイトル用データの同時再生の可否、表示位置、表示サイズ又は表示比率の少なくとも１つを制御することを特徴とする。
【００２４】
また、本発明によるデータ再生方法は、少なくともメニュー用データおよびタイトル用データを含むデータの再生を行わせるデータ再生方法であって、前記データを取得するデータ取得ステップと、ユーザの操作を受け付けるユーザ操作ステップと、前記メニュー用データを再生する第１の再生部および前記タイトル用データを再生する第２の再生部から再生状態を示す状態通知を受けて前記データの再生状態を記憶して管理する状態管理ステップと、前記ユーザ操作ステップで受け付けた操作情報と前記状態管理ステップで記憶した再生状態の情報とを解析し、前記データの再生状態が、前記メニュー用データおよび前記タイトル用データを同時に再生する状態である場合で、前記第２の再生部からタイトル終了の状態通知又は前記タイトル用データ中のメニューを有効とする状態通知を受け取ったときは、前記第１の再生部に前記メニュー用データの再生を終了させる制御ステップと、を備えることを特徴とする。
また、本発明によるデータ再生方法は、少なくともメニュー用データおよびタイトル用データを含み、前記メニュー用データにはコマンドを含むデータの再生を行わせるデータ再生方法であって、前記データを取得するデータ取得ステップと、ユーザの操作を受け付けるユーザ操作ステップと、前記メニュー用データを再生する第１の再生部および前記タイトル用データを再生する第２の再生部から再生状態を示す状態通知を受けて前記データの再生状態を記憶して管理する状態管理ステップと、前記第１の再生部が、該コマンドを実行するとともに前記制御部にコマンド実行に関する状態通知を出力して、前記ユーザ操作ステップで受け付けた操作情報と前記状態管理ステップで記憶した再生状態の情報とを解析し、前記第１の再生部および前記第２の再生部それぞれに前記メニュー用データと前記タイトル用データの再生を行わせるよう制御し、前記状態通知に基づき、前記第２の再生部を制御する制御ステップと、を備えることを特徴とする。
【００２５】
また、本発明に係る制御プログラムは、前記データ再生方法をコンピュータに実行させることを特徴とする。
【００２６】
また、本発明に係る記録媒体は、前記制御プログラムをコンピュータ読み取り可能に記録したことを特徴とする。
【発明の効果】
【００２７】
以上説明したように、本発明は、メニュー用データとタイトル用データそれぞれの再生のための再生部を備えるので、制御部は、メニューとタイトルの同時再生を管理できる。
また、本発明は、新たにメニュー画面が表示される際、これまでのメニュー画面の再生を終了させるので、メニューが複数再生・表示されてユーザが混乱することを防ぐことができる。
また、本発明は、制御部が、メニューデータのコマンド情報をタイトル再生する再生部に伝達することができるので、ユーザによるメニュー選択をタイトル再生に反映させることができる。
また、本発明は、メニューデータのコマンド情報をタイトル再生用の再生部に伝達することができるので、メニュー再生でのジャンプ命令をタイトル再生に反映できる。
また、本発明は、メニューデータのコマンド情報をタイトル再生用の再生部に伝達することができるので、メニュー再生での音声や字幕といった再生状態の変更命令をタイトル再生に反映できる。
【００２８】
また、本発明は、２つの再生部から出力されたデータを合成することのできる出力部を備えるので、１個の表示装置にメニューとタイトルそれぞれの画面を適切に表示できる。
【００２９】
また、本発明は、２つの出力部を備えるので、２個の表示装置にメニューとタイトルそれぞれの画面を適切に表示できる。更に、タイトルとメニューは別の表示装置に再生されるため、ユーザのタイトルの視聴を妨げずに、メニューを表示することができる。
【００３０】
また、本発明は、２個の表示装置にメニューとタイトルを表示させる場合に、タイトル再生画面にメニュー再生状態の表示を行うので、ユーザに、タイトル再生を行っている表示装置とは異なる装置にメニュー画面が表示されることにつき、注意を促すことができる。または、接続や設定が正しくなく、メニュー画面が正しく表示されない場合に、ユーザに、接続等を確認するよう知らせることができる。
【００３１】
また、本発明は、制御部が現在の状態に応じて、ユーザキー操作を２つのメニュー用とタイトル用の再生部に振り分けることで、１個の操作装置で違和感なく２画面を操作することができる。
【００３６】
また、本発明は、取得したメニュー用データを一旦保存することができるので、タイトルおよびメニューを同時に再生する場合に、タイトルとメニューのディスク等からの並行読み出しが不要になるため、データ取得部は等倍速の読み出し速度で実現可能となる。すなわち、ディスクの回転速度を下げられるため、読み出し速度を上げたときに課題となる、騒音・振動の増大、シーク時間の増大に伴うレスポンスの低下といった点を回避することができる。
【００３７】
また、本発明は、コンテンツの内容に合った、メニュー再生画面およびタイトル再生画面の同時再生の可否、表示位置、表示サイズ又は表示比率等といった表示形態を指定できる。
【発明を実施するための最良の形態】
【００３８】
以下、本発明の実施の形態を図示例と共に説明する。
なお、本発明の実施の形態では、ビデオディスクプレーヤについて説明するが、本発明はこれに限定されず、ＰＣ（Ｐｅｒｓｏｎａｌ  Ｃｏｍｐｕｔｅｒ）等にも適用できる。
【００３９】
〔第１の実施形態〕
＜システム構成＞
図１は、本実施形態におけるビデオディスクプレーヤ１の構成の概略を示す機能ブロック図である。
ビデオディスクプレーヤ１は、光ディスク１０に記録されているデータを再生する装置である。
【００４０】
図１に示すように、ビデオディスクプレーヤ１は、ディスク読み出し部２０と、状態管理部３０と、全体制御部４０と、ユーザ操作部５０と、再生部６０、７０と、出力部８０とを含んで構成されている。
【００４１】
ディスク読み出し部２０は、再生部６０、７０等の指令により、光ディスク１０に格納された各種ファイルからデータを読み出す。なお、ディスク読み出し部２０は、同時２ストリーム読み出しが可能なよう２倍速以上の読み出し速度を備えることが望ましい。
【００４２】
状態管理部３０は、ビデオディスクプレーヤ１全体の状態を管理する。この状態についての定義および状態遷移の定義については後述する。
【００４３】
全体制御部４０は、電源投入後の初期化、ディスクローディング、ディスクイジェクト、タイトル切り替え等、全体的な制御を司る。また、全体制御部４０は、ユーザ操作部５０から到着するユーザ操作情報と、状態管理部３０から得たビデオディスクプレーヤ１全体の状態の情報とに基づき、再生部６０、７０、出力部８０を制御する。さらに、全体制御部４０は、再生部６０、７０から通知される状態変化と、前述の状態管理部３０から得たビデオディスクプレーヤ１全体の状態の情報とに基づき、再生部６０、７０、出力部８０を制御する。
【００４４】
ユーザ操作部５０は、リモコン（不図示）からの信号を受付け、全体制御部４０に対してユーザからの操作情報を伝える。
【００４５】
再生部６０、７０は、全体制御部４０からの制御に従って、ＤＶＤ規格に準拠したナビゲーション・データおよびプレゼンテーション・データを解釈しつつ再生を行う。詳細については後述する。
【００４６】
出力部８０は、全体制御部４０からの指令に応じて、再生部６０、７０から送られるビデオデータ間の合成や切り替えを行う。また、オーディオデータについても同様に、ミックスや切り替えを行う。
【００４７】
＜再生部＞
図２は、上記再生部６０、７０の構成の概略を示す機能ブロック図である。
【００４８】
図２に示すように、再生部６０、７０は、ディスク読み出し部２０とのＩ／Ｆ６１と、全体制御部４０とのＩ／Ｆ６２と、ナビゲーション・マネージャ６３と、プレゼンテーション・エンジン６４とを含んで構成される。
【００４９】
ディスク読み出し部とのＩ／Ｆ６１は、ナビゲーション・マネージャ６３およびプレゼンテーション・エンジン６４からの指令に応じて、ディスク読み出し部２０に対して、データ読み出し指令を送信し、読み出されたデータをナビゲーション・マネージャ６３およびプレゼンテーション・エンジン６４に送る。
【００５０】
ナビゲーション・マネージャ６３およびプレゼンテーション・エンジン６４は、ＤＶＤビデオ規格で規定されているものと同様のものであるため、概要と違いに絞って説明する。
【００５１】
ＤＶＤディスクには、ナビゲーション・データおよびプレゼンテーション・データが記録されている。
ナビゲーション・データは、インタラクティブ機能を提供する情報およびコンテンツ再生の順序等について制御するコマンドのことである。また、プレゼンテーション・データは、ＭＰＥＧ（Ｍｏｖｉｎｇ  Ｐｉｃｔｕｒｅ  Ｅｘｐｅｒｔｓ  Ｇｒｏｕｐ）−２等で圧縮されたビデオデータ、ＡＣ（Ａｕｄｉｏ  Ｃｏｄｅ  ｎｕｍｂｅｒ）３等で圧縮されたオーディオデータおよび字幕やメニュー表示などに用いる主映像に重ねる副映像（サブピクチャ）データが多重化されたものである。
【００５２】
ナビゲーション・マネージャ６３は、ディスク読み出し部とのＩ／Ｆ６１を通じて読み出したデータ（ナビゲーション・データ）を解析し、ナビゲーション・データ中のナビゲーション・コマンドと、全体制御部とのＩ／Ｆ６２から送信されるユーザ操作制御（Ｕｓｅｒ  Ｏｐｅｒａｔｉｏｎ  Ｃｏｎｔｒｏｌｓ、以下、「ＵＯＰ」という）とに従って、プレゼンテーション・エンジン６４を制御する。
【００５３】
ＤＶＤビデオ規格で定められているように、ナビゲーション・マネージャ６３内は、再生部６０、７０の状態を保持するため、システム・パラメータ（Ｓｙｓｔｅｍ  ｐａｒａｍｅｔｅｒ、以下、「ＳＰＲＭ」という）およびゼネラル・パラメータ（Ｇｅｎｅｒａｌ  ｐａｒａｍｅｔｅｒ、以下、「ＧＰＲＭ」という）を備える。ＳＰＲＭは、現在選択されている音声の番号等、再生状態を保持し、ＧＰＲＭは、ナビゲーション・コマンドによって、自由に更新・参照の可能な汎用のパラメータである。なお、ＳＰＲＭ、ＧＰＲＭを併せて、ナビゲーション・パラメータと呼ぶ。
【００５４】
プレゼンテーション・エンジン６４は、ナビゲーション・マネージャ６３からの指令に従い、ディスク読み出し部とのＩ／Ｆ６１を通じて読み出したプレゼンテーション・データをデコードし、ビデオ／オーディオデータとして出力部８０に送る。プレゼンテーション・エンジン６４は、読み出されたプレゼンテーション・データを保持するバッファメモリを備え、そのバッファメモリが空にならないようにディスク読み出し部とのＩ／Ｆ６１に対してプレゼンテーション・データの読み出し命令を発行する。
【００５５】
全体制御部とのＩ／Ｆ６２は、全体制御部４０から送信されるＵＯＰ等をナビゲーション・マネージャ６３に伝える。また、ナビゲーション・マネージャ６３において、再生状態の変更が行われるナビゲーション・コマンドが実行された場合、それを全体制御部４０に通知する。具体的には、Ｊｕｍｐ／ＬｉｎｋコマンドやＳＰＲＭの変更を伴うコマンドの実行である。
また、タイトル再生やメニュー再生が終了した場合も、全体制御部とのＩ／Ｆ６２は、ナビゲーション・マネージャ６３からの制御信号を受け、全体制御部４０に伝達する。また、全体制御部とのＩ／Ｆ６２は、全体制御部４０からの指令に応じて、現在のナビゲーション・パラメータの値をナビゲーション・マネージャ６３から取得して、全体制御部４０に渡す機能も備える。
【００５６】
なお、再生部７０では、メニュー以外を再生してしまわないよう、メニュー以外へのＪｕｍｐ／Ｌｉｎｋコマンドが実行された場合に無効とし、再生部７０内では、Ｊｕｍｐ／Ｌｉｎｋは行わないようにする。すなわち、再生部７０のナビゲーション・マネージャ６３は、メニュー以外へのＪｕｍｐ／Ｌｉｎｋコマンドをディスク読み出し部２０から受け取った場合、処理を行なわないように設定されている。
【００５７】
また、ナビゲーション・マネージャ６３は、ナビゲーション・データ中の再生表示に関する制御情報である再生制御情報（Ｐｒｅｓｅｎｔａｔｉｏｎ  Ｃｏｎｔｒｏｌ  Ｉｎｆｏｒｍａｔｉｏｎ、以下、「ＰＣＩ」という）を常に監視し、ボタンを有効とする制御情報を読み取った場合、全体制御部とのＩ／Ｆ６２を通じて、全体制御部４０に対しそのことを通知する。この機能は、前述した所謂トップ・メニューとしてのメニューだけではなく、タイトル中にも一種のメニューが表示されるコンテンツがあり、そのようなコンテンツを適切にハンドリングするために必要となっている。
【００５８】
＜状態遷移と出力＞
図３は、全体制御部４０の状態遷移を示す説明図である。
再生開始後、取りうる状態には、「タイトル再生状態」ａ、「メニュー再生状態」ｂ、「タイトル＆メニュー再生状態」ｃの３状態がある。タイトル再生状態ａとメニュー再生状態ｂはそれぞれタイトル又はメニューのみを再生している状態で、タイトル＆メニュー再生状態ｃは、タイトルおよびメニューを同時再生している状態である。
【００５９】
タイトル再生状態ａからタイトル＆メニュー再生状態ｃへの遷移は、タイトル再生開始後に、ユーザ操作部５０からメニューキーが押下されたことが通知された際に発生する。逆にタイトル＆メニュー再生状態ｃからタイトル再生状態ａへの遷移は、ユーザ操作部５０からメニューキーが押下されたことが通知された際、Ｊｕｍｐ／Ｌｉｎｋコマンドの実行、あるいはＰＣＩのボタンを有効とする制御信号を読み取った場合により生じる。
【００６０】
また、タイトル再生状態ａからメニュー再生状態ｂへの遷移は、タイトル再生が終了し、メニュー再生が始まる際に発生する。一方、メニュー再生状態ｂからタイトル再生状態ａにはメニュー内のボタンを選択した結果、タイトルが再生開始される際に発生する。
【００６１】
また、タイトル＆メニュー再生状態ｃからメニュー再生状態ｂへの遷移は、タイトル再生中にメニュー表示していた場合において、タイトルの再生が終了して、メニュー再生のみ行う際に発生する。ここで、タイトルの再生が終了した時に、この時のメニュー再生も一旦終了させ、タイトル再生終了時に表示するメニューの再生を開始するよう制御する。なぜなら、２つのメニューが同時に再生された場合、ユーザ操作対象が複数になり、ユーザ操作体系が煩雑になるためである。
【００６２】
なお、メニュー再生状態ｂからタイトル＆メニュー再生状態ｃへの遷移は、ユーザからの指示の無いときに極力メニューを出さない方がよいため設けていない。
【００６３】
タイトル＆メニュー再生状態ｃでの出力部８０の表示装置への出力形態の例を図４に示す。
例えば、図４（ａ）と図４（ｂ）の２種類の出力形態が、ユーザ設定により切り替えられるものにする。または、表示装置の種別により、出力部８０が出力形態を決定するとしてもよいし、どちらかの出力形態のみ設定されているとしてもよい。
または、コンテンツの内容に合わせて、メニューとタイトルの再生画面の同時再生の可否、表示位置、表示サイズ又は表示比率等といった表示形態が設定されていてもよい。
【００６４】
例えば、図４（ａ）は、メニュー再生画面がタイトル再生の邪魔にならないように画面の隅に小さく表示するものであり、図４（ｂ）は、タイトル再生画面とメニュー再生画面を横に並べたものである。図４（ａ）は小画面テレビ、図４（ｂ）は解像度の高い大画面テレビに適したものであるので、出力部８０は、表示装置の出力解像度を認識し、出力解像度に応じて両者を自動的に切り替えるとすることもできる。
【００６５】
また、オーディオ出力を行う場合、出力部８０は、再生部６０から出力されるオーディオデータのみを選択して出力する。なぜなら、再生部６０、７０が同時に再生を行うタイトル＆メニュー再生状態ｃにおいて、ユーザはタイトル再生に伴うオーディオ再生を中断せずに楽しむことを欲すると考えられるためである。
【００６６】
以下では、以上のような構成となっている本発明に係る再生装置における処理について説明する。
【００６７】
＜全体処理＞
まず、ビデオディスクプレーヤ１における基本的な処理シーケンスについて説明する。
図５は、ビデオディスクプレーヤ１による全体の基本的な処理の流れを示すフローチャートである。
【００６８】
まず、全体制御部４０は、電源投入に伴い初期化を行う（Ｓ１）。次に、全体制御部４０は、ディスク挿入が行われたか否かの判定を行う（Ｓ２）。全体制御部４０は、ディスク挿入を検出した場合（Ｓ２で「ＹＥＳ」）、ディスク再生処理を行う（Ｓ３）。また、全体制御部４０は、ディスク挿入を検出しなかった場合（Ｓ２で「ＮＯ」）、Ｓ５の処理へと進む。Ｓ３のディスク再生処理では、全体制御部４０は、再生部６０に対して、通常のＤＶＤ再生と同様の再生処理を指示する。ディスク再生処理については後で詳述する。ディスク再生が終了したら、全体制御部４０は、ディスク排出処理を行い（Ｓ４）、電源が切られたか否かの判定を行い（Ｓ５）、電源が切られた場合には（Ｓ５で「ＹＥＳ」）、終了処理を行う（Ｓ６）。電源が切られていない場合（Ｓ５で「ＮＯ」）、Ｓ２の判定へと戻る。
【００６９】
＜ユーザ操作ハンドリング＞
つづいて、図５のように基本的な処理を行っているときに、ユーザ操作部５０から操作情報の入力があった場合の全体制御部４０によるハンドリング処理について説明する。
【００７０】
図６は、図５のＳ３のディスク再生処理中に、全体制御部４０が、ユーザ操作部５０からの操作情報をハンドリング処理する流れを示すフローチャートである。
【００７１】
全体制御部４０は、ユーザ操作部５０からユーザ操作情報が伝えられたら（Ｓ１１）、まず状態管理部３０を参照して全体制御部４０の現在の状態を取得する（Ｓ１２）。この取得した状態に応じて、以下のように処理を切り替える。
【００７２】
現在の状態がタイトル＆メニュー再生状態だった場合：全体制御部４０は、状態管理部３０から取得した現在の状態が、タイトル＆メニュー再生状態であるか否かの判定を行う（Ｓ１３）。
【００７３】
タイトル＆メニュー再生状態であった場合（Ｓ１３で「ＹＥＳ」）、全体制御部４０は、ユーザ操作部５０の操作情報を解析して、ユーザ操作がメニューキー押下かどうか調べ（Ｓ１４）、メニューキー押下だった場合（Ｓ１４で「ＹＥＳ」）、後で詳述するメニュー画面クローズ処理を実行して（Ｓ１５）、本処理を終了し、図５のＳ３の処理に戻る。
【００７４】
このような構成とすることで、タイトル＆メニュー画面でメニューキーが選択された場合、メニューの役割は終了したので、全体制御部４０は、メニュー画面を閉じ、タイトルのみの再生画面とすることができる。
【００７５】
メニューキー押下でなかった場合（Ｓ１４で「ＮＯ」）、全体制御部４０は、ユーザ操作部５０の操作情報から、カーソルキーやエンターキー等のボタン制御キーによる操作かどうかを調べ（Ｓ１６）、ボタン制御キーであった場合（Ｓ１６で「ＹＥＳ」）、対応するＵＯＰ（例えばＵｐｐｅｒ＿Ｂｕｔｔｏｎ＿Ｓｅｌｅｃｔ（））に変換して、メニューの再生を行う再生部７０へ送信する（Ｓ１７）。ボタン制御キーによる操作でなかった場合、対応するＵＯＰ（例えば早送りキーの場合、Ｆｏｒｗａｒｄ＿Ｓｃａｎ（））に変換して、タイトル再生を行う再生部６０へ送信する（Ｓ１８）。
【００７６】
このような構成とすることで、全体制御部４０は、押下されたのがメニューキーでない場合であっても、ユーザ操作がメニュー、タイトルのいずれに関するものか判定し、適切な制御信号（ＵＯＰ）を再生部６０と再生部７０とに振り分けることができる。すなわち、メニュー＆タイトル再生状態であっても、メニュー、タイトルそれぞれについて、ユーザ操作を受け、適切に処理を行うことが可能となる。
【００７７】
現在の状態がタイトル再生状態だった場合：全体制御部４０は、Ｓ１３の判定でタイトル＆メニュー再生状態でないと判定した場合、タイトル再生状態であるか否かの判定を行う（Ｓ１９）。タイトル再生状態であった場合（Ｓ１９で「ＹＥＳ」）、全体制御部４０は、ユーザ操作部５０の操作情報を解析して、ユーザ操作がメニューキー押下かどうか調べ（Ｓ２０）、メニューキー押下だった場合（Ｓ２０で「ＹＥＳ」）、後で詳述するメニュー画面オープン処理を実行する（Ｓ２１）。一方、メニューキー押下でなかった場合（Ｓ２０で「ＮＯ」）、キー操作の対応するＵＯＰに変換して、タイトル再生を行う再生部６０へ送信する（Ｓ２２）。
【００７８】
このような構成とすることで、全体制御部４０は、タイトル画面でユーザによる操作がメニュー画面を選択するものなのか、タイトル再生に関するものなのか、判定し、適切な制御信号（ＵＯＰ）を再生部６０と再生部７０とに振り分けることができる。
【００７９】
現在の状態がメニュー再生状態であった場合：全体制御部４０は、Ｓ１９の判定でタイトル再生状態ではないと判定した場合、現在の状態はメニュー再生状態であると言える。ユーザによる操作はメニューから選択したタイトルの再生指示操作となるので、通常のＤＶＤの処理と同様、全体制御部４０は、キー操作に対応するＵＯＰに変換してタイトル再生を行う再生部６０へ送信する（Ｓ２２）。出力部８０は、現在は、再生部７０からデータ出力を受けて表示装置にメニュー表示を行なわせている状態であるが、全体制御部４０の制御により切り換えて、再生部６０からタイトル再生のためのデータを受け取り、表示装置にタイトル表示を行うことになる。
【００８０】
以上のように、全体制御部４０が現在の状態に応じて、ユーザキー操作を再生部６０と再生部７０とに振り分けることで、１個のリモコンで違和感なく２画面を操作することが可能になる。
【００８１】
＜状態通知ハンドリング＞
つづいて、図５のように基本的な処理を行っているときに、再生部６０、７０から状態通知の入力があった場合の全体制御部４０によるハンドリング処理について説明する。
【００８２】
図７は、図５のＳ３のディスク再生処理中に、全体制御部４０が、再生部６０、７０から受け取った状態通知をハンドリング処理する流れを示すフローチャートである。
【００８３】
全体制御部４０は、状態通知があった場合（Ｓ３１）、まず通知元をチェックする（Ｓ３２）。通知元に応じて、以下のように処理を切り替える。
【００８４】
通知元が再生部６０：通知元がタイトルの再生を行う再生部６０からの通知であった場合（Ｓ３２で「ＹＥＳ」）、全体制御部４０は、状態通知を解析して、通知内容がタイトル再生終了か否かの判定を行う（Ｓ３３）。また、全体制御部４０は、タイトル再生終了の状態通知でなかった場合（Ｓ３３で「ＮＯ」）、ナビゲーション・データ中のＰＣＩのボタンを有効とする制御情報を読み取っての状態通知であるか否かの判定を行う（Ｓ３４）。ボタンを有効とする制御情報であった場合には（Ｓ３４で「ＹＥＳ」）、全体制御部４０は、更に、状態管理部３０を参照して、タイトル＆メニュー再生状態であるか否かの判定を行い（Ｓ３５）、タイトル＆メニュー再生状態であった場合（Ｓ３５で「ＹＥＳ」）、後で詳述するメニュー画面クローズ処理を実行して（Ｓ３６）、本処理を終了し、図５のＳ３の処理へ戻る。ここで、タイトル中のメニューボタンが有効になった場合にメニュー画面クローズ処理を実行するのは、タイトル再生画面とメニュー再生画面の両方でメニューが表示されることにより、ユーザが混乱するのを防ぐためである。
【００８５】
また、メニュー画面クローズの際に、メニューがクローズされることをユーザが故障と間違えないように、タイトル再生画面に「メニューがタイトル再生画面に表示される可能性があるためメニュー画面をクローズしました」等のメッセージを表示することが望ましい。
【００８６】
また、タイトル＆メニュー再生状態でない場合（Ｓ３５で「ＮＯ」）、全体制御部４０は、本処理を終了して、図５のフローに戻る。これは、タイトルのみ再生であった状態からタイトル中のメニューボタンが有効になった場合であるので、通常の処理に戻ればよいからである。
【００８７】
また、再生部６０からの状態通知が、タイトル再生終了についてであった場合で（Ｓ３３で「ＹＥＳ」）、タイトル＆メニュー再生状態であったときは（Ｓ３５で「ＹＥＳ」）、全体制御部４０は、メニュー画面クローズ処理を行う（Ｓ３６）。これは、図３の状態遷移図の説明で述べたように、２つのメニューが同時に再生された場合、ユーザ操作対象が複数になり、ユーザ操作体系が煩雑になるためであり、タイトル再生時のメニューを一旦終了させる。
【００８８】
通知元が再生部７０：通知元がメニューの再生を行う再生部７０からの通知であった場合（Ｓ３２で「ＮＯ」）、全体制御部４０は、状態通知を解析して、通知内容がＪｕｍｐ／Ｌｉｎｋコマンド実行であるか否かの判定を行う（Ｓ３７）。状態通知がＪｕｍｐ／Ｌｉｎｋコマンド実行である場合（Ｓ３７で「ＹＥＳ」）、全体制御部４０は、該コマンドに対応するタイトル再生を指示するＵＯＰ（例えばコマンドがＪｕｍｐＴＴの場合、Ｔｉｔｌｅ＿Ｐｌａｙ（））を再生部６０に送信し（Ｓ３８）、メニュー画面クローズ処理を実行し（Ｓ３６）、本処理を終了する。
【００８９】
以上のような構成とすることで、再生部７０においてＪｕｍｐ／Ｌｉｎｋコマンドが実行された場合にメニュー画面クローズ処理を実行し、タイトル再生画面をより大きく使うことが可能になる。
【００９０】
また、状態通知がＪｕｍｐ／Ｌｉｎｋコマンド実行でない場合（Ｓ３７で「ＮＯ」）、全体制御部４０は、通知内容がＳＰＲＭ値変更か否かをチェックする（Ｓ３９）。状態通知がＳＰＲＭ値変更であった場合（Ｓ３９で「ＹＥＳ」）、全体制御部４０は、ＳＰＲＭ値変更に対応するＵＯＰ（例えば、ＳＰＲＭ（１）が変わった場合、Ａｕｄｉｏ＿Ｓｔｒｅａｍ＿Ｃｈａｎｇｅ（））を再生部６０に送信して（Ｓ４０）、本処理を終了する。
【００９１】
上記のような構成とすることで、再生部７０からの状態通知がＳＰＲＭ変更に伴うナビゲーション・コマンドの実行であった場合でも、全体制御部４０は、適切に認識し処理を行うことができる。
【００９２】
以上のように、再生部６０、７０から状態通知を受け取った全体制御部４０は、状態通知を解析し、適切なハンドリング処理を実行することができる。
【００９３】
＜メニュー画面オープン・クローズ処理＞
ユーザ操作部５０からの操作情報、再生部６０、７０からの状態通知を全体制御部４０がハンドリングする処理について説明したが、この中の図６・Ｓ１５、Ｓ２１および図７・Ｓ３６のメニュー画面オープン・クローズ処理について、以下に詳しく説明する。
【００９４】
図８（ａ）は、メニュー画面オープン処理、図８（ｂ）は、メニュー画面クローズ処理の流れを示すフローチャートである。
【００９５】
まず、メニュー画面オープン処理について説明する。
メニュー画面オープン処理で、まず、全体制御部４０は、再生部６０の現在のナビゲーション・パラメータ値を取得し、再生部７０にセットする（Ｓ４１）。これは、再生部７０によるメニュー再生において、現在の状態を反映して、ユーザにとって違和感の無いようにメニュー再生を行うために必要である。
【００９６】
次に、全体制御部４０は、状態管理部３０に対して、状態をメニュー＆タイトル再生状態に変更指示する（Ｓ４２）。
【００９７】
更に、全体制御部４０は、再生部７０に対し、ＭｅｎｕＣａｌｌ（）ＵＯＰを送信し、メニュー再生を開始させる（Ｓ４３）。メニュー再生が開始されると同時に出力部８０に対して、メニュー画面オープンを指示（Ｓ４４）、すなわち、例えば図４に示すような出力映像形態となるよう指示する。
【００９８】
次に、メニュー画面クローズ処理について説明する。
メニュー画面クローズ処理で、まず、全体制御部４０は、再生部７０のナビゲーション・パラメータ値を取得し、再生部６０にセットする（Ｓ５１）。これは、メニュー操作により更新されたナビゲーション・パラメータをタイトル再生に反映するために必要である。なお、このナビゲーション・パラメータのうち、メニュー画像について再生箇所を示す情報（例えばタイトル番号や再生時刻）は、反映した場合、メニューが再生されてしまうため、その例外とする。
【００９９】
次に、全体制御部４０は、出力部８０に対して、メニュー画面クローズを指示し（Ｓ５２）、再生部７０に対し、ＳＴＯＰ（）ＵＯＰを送信し、再生を停止させる（Ｓ５３）。最後に、状態管理部３０に対して、再生部６０の再生状態に応じて、状態をタイトル再生状態あるいはメニュー再生状態に変更することを指示する（Ｓ５４）。
【０１００】
＜バリエーション＞
なお、本実施例では、メニュー再生状態からはタイトル再生状態にのみ遷移するようにしたが、ユーザの好みに応じて、メニュー再生状態からタイトル＆メニュー再生状態に遷移するようにしてもよい。
【０１０１】
また、本実施例ではタイトル＆メニュー再生状態での画面表示に図４に示す形態を用いたがこれに限定されるものではない。例えば、タイトル再生画面の上にメニュー再生画面を重ね、半透過させて表示させることも考えられる。
【０１０２】
また、本実施例では全体制御部４０から再生部６０、７０の制御にはＵＯＰを使用したが、本発明はこれに限定されるものではなく、同様の制御が可能なものであればよいことは言うまでもない。
【０１０３】
また、本実施例では再生部６０と再生部７０のオーディオ出力は合成していないが、ユーザの好みに応じて合成する選択肢を持たせてもよい。
【０１０４】
また、本実施例ではタイトル＆メニュー再生状態での出力形態をプレーヤが決定しているが、光ディスク１０に出力形態を指定する情報を置いて、その情報に基づき全体制御部４０が出力形態を制御することも容易に実現可能である。例えば、タイトル再生画面とメニュー再生画面を図４（ａ）のように重ね合わせるか、図４（ｂ）のように重ね合わせないか、また、メニュー再生画面とタイトル再生画面の表示位置やサイズを指定することも考えられる。また、同時表示を禁止することも考えられる。このようにすることで、コンテンツの内容に合った、タイトル再生画面およびメニュー再生画面の表示形態を指定できる。
また、本発明で開示した再生方法だけでなく、既存の再生方法に慣れたユーザのために、本発明で開示した再生方法と既存の再生方法をユーザが切り替えることのできる手段をプレーヤに設けてもよいことは言うまでもない。
【０１０５】
〔第２の実施形態〕
以下に、第２の実施形態について説明する。なお、説明の便宜上、前記の第１の実施形態において示したものと同一の機能を有するものには、同一の符号を付し、その説明を省略する。また、第１の実施形態において定義した用語については、特に断らない限り本実施形態においてもその定義に則って用いるものとする。
【０１０６】
＜システム構成＞
図９は、本実施形態に係るビデオディスクプレーヤ２の構成の概略を示す機能ブロック図である。
ビデオディスクプレーヤ２は、第１の実施形態と同じく、光ディスク１０に記録されているデータを再生する装置である。
【０１０７】
本実施形態と第１の実施形態との違いは、再生部６０、７０の出力データを別の表示装置に出力できるよう、それぞれに対して出力部８１、８２を設けている点である。
タイトル再生を行う再生部６０からのデータは、出力部８１に出力され、メニュー再生を行う再生部７０からのデータは、出力部８２に出力される。
【０１０８】
このことによって、メニュー再生画面をタイトル再生画面とは別の表示装置に表示できるため、タイトル再生表示に影響を与えることなくメニュー再生表示を行うことができる。
【０１０９】
本実施形態の処理においては、第１の実施形態と以下の処理が異なってくる。
【０１１０】
＜メニュー画面オープン・クローズ処理＞
図１０（ａ）は、本実施形態におけるメニュー画面オープン処理、図１０（ｂ）は、メニュー画面クローズ処理の流れを示すフローチャートである。
【０１１１】
まず、メニュー画面オープン処理から説明する。
図１０（ａ）のＳ６１〜Ｓ６３は、図８（ａ）のＳ４１〜Ｓ４３と同様であるので、説明を省略する。
【０１１２】
全体制御部４０は、再生部７０に対し、ＵＯＰを送信してメニュー再生を開始させると同時に、出力部８２に対して、メニュー画面オープンを指示する（Ｓ６４）。
【０１１３】
また、全体制御部４０は、メニュー画面オープン処理時に、ＯＳＤ（Ｏｎ−Ｓｃｒｅｅｎ  Ｄｉｓｐｌａｙ）生成部（不図示）に対し、別の表示装置にメニュー画面を表示した旨のＯＳＤ表示を、出力部８１に表示するよう指示信号を出力して（Ｓ６５）、本処理を終了する。
【０１１４】
次に、メニュー画面クローズ処理について説明する。
本処理においても、図８（ｂ）と同様の処理については説明を省略する。
【０１１５】
第１の実施形態の図８（ｂ）と異なるのは、Ｓ７２の処理である。
本実施形態におけるビデオディスクプレーヤ２には、出力部８１、８２が２つ設けられているので、Ｓ７２において、全体制御部４０が、メニュー画面クローズを指示するのは、メニュー再生の処理を行う再生部７０からの出力を受ける出力部８２ということになる。
【０１１６】
以上のような構成とすることで、タイトルとメニューは別の表示装置に再生されることになり、ユーザのタイトルの視聴を妨げずに、メニューを表示することができる。
【０１１７】
つづいて、本実施形態におけるタイトル＆メニュー再生状態での画面表示形態を説明する。
図１１は、本実施形態におけるタイトル＆メニュー再生状態での出力部８１、８２それぞれの出力の例である。
【０１１８】
図１１（ａ）は出力部８１に接続した表示装置での表示状態で、タイトル再生およびＯＳＤ表示を行っている。図９（ｂ）は出力部８２に接続した表示装置の表示状態で、メニュー画面表示を行っている。
【０１１９】
図１１（ａ）では、タイトル再生画面が表示され、さらに「メニューは別テレビに表示中」との表示を重畳している。このことによって、ユーザに、タイトル再生を行っている表示装置とは異なる装置に、メニュー画面が表示されることにつき、注意を促すことができる。
【０１２０】
また、万が一、出力部８２と接続したメニューを再生することになっている表示装置の接続や設定が正しくなく、メニュー画面が正しく表示されない場合に、ユーザに別の表示装置にメニュー画面が表示されていることを知らせることもでき、メニューボタンを押したにもかかわらずメニューが表示されていない、といったユーザの混乱を低減することができる。また、ＯＳＤ表示は上記に限られず、接続や設定等が正しくなくメニュー表示ができない旨を表示させるようにしてもよい。また、この場合に、１画面のみ使用するようプレーヤの設定の変更をユーザに促す設計としてもよい。
【０１２１】
〔第３の実施形態〕
以下に、第３の実施形態について説明する。なお、説明の便宜上、前記の第１および第２の実施形態において示したものと同一の機能を有するものには、同一の符号を付し、その説明を省略する。また、第１および第２の実施形態において定義した用語については、特に断らない限り本実施形態においてもその定義に則って用いるものとする。
【０１２２】
＜システム構成＞
図１２は、本実施形態に係るビデオディスクプレーヤ３の構成の概略を示す機能ブロック図である。
ビデオディスクプレーヤ３は、第１および第２の実施形態と同じく、光ディスク１０に記録されているデータを再生する装置である。
【０１２３】
本実施形態と第１の実施形態との違いは、再生部６０、７０とディスク読み出し部２０との間に読出制御部９０を備え、読出制御部９０を介してメニュー保持部１００が加わった点である。
【０１２４】
上記のような構成において、本実施形態における第１および第２の実施形態と異なる処理について説明する。
【０１２５】
再生部６０、７０は、読出制御部９０を介して、ディスク読み出し部２０が光ディスク１０から読み出したデータを受け取る。
【０１２６】
また、読出制御部９０は、再生部７０からメニューを構成するナビゲーション・データおよびプレゼンテーション・データの読み出しの要求を受け取ったら、ディスク読み出し部２０を介して光ディスクから該当するデータを読み出し、一旦、メニュー保持部１００に格納する。
【０１２７】
読出制御部９０は、メニュー再生に関する必要なデータのメニュー保持部１００への格納が完了したら、再生部７０へのデータの出力を開始する。
【０１２８】
このような構成とすることにより、タイトル＆メニュー再生状態において、タイトルとメニューの光ディスク１０からの並行読み出しが不要になるため、ディスク読み出し部２０は等倍速の読み出し速度で実現可能となる。すなわち、光ディスク１０の回転速度を下げられるため、読み出し速度を上げたときに課題となる、騒音・振動の増大、シーク時間の増大に伴うレスポンスの低下といった点を回避することができる。
【０１２９】
なお、本実施形態においては、タイトル再生中に、読出制御部９０がメニューを構成するデータについての読み出し要求を受け取った際に、該当するデータをメニュー保持部１００に格納しているが、光ディスク１０のロード時に読み出して、メニュー保持部１００に格納してもよい。
【０１３０】
なお、上記３実施形態では、コンテンツは光ディスクから読み出されることを前提としているが、本発明の適用範囲はそれに限定されない。例えばコンテンツは、放送やネットワークを通じて入手されるものであっても適用可能である。
【０１３１】
また、ビデオディスクプレーヤ１、２、３の各ブロックは、ハードウェアロジックによって構成してもよいし、次のようにＣＰＵ（Ｃｅｎｔｒａｌ  Ｐｒｏｃｅｓｓｉｎｇ  Ｕｎｉｔ、中央処理装置）を用いてソフトウェアによって実現してもよい。すなわち、ビデオディスクプレーヤ１、２、３は、各機能を実現する制御プログラムの命令を実行するＣＰＵ、上記プログラムを格納したＲＯＭ（Ｒｅａｄ  Ｏｎｌｙ  Ｍｅｍｏｒｙ）、上記プログラムを動作させるために使用するＲＡＭ（Ｒａｎｄｏｍ  Ａｃｃｅｓｓ  Ｍｅｍｏｒｙ）、上記プログラムおよび各種データを格納するメモリ等の記憶装置（記録媒体）などを備えており、上述した機能を実現するソフトウェアであるビデオディスクプレーヤの制御プログラムのプログラムコード（実行形式プログラム、中間コードプログラム、ソースプログラム）をコンピュータで読み取り可能に記録した記録媒体を、上記ビデオディスクプレーヤに供給し、そのコンピュータ（ＣＰＵ、ＭＰＵ（Ｍｉｃｒｏ  Ｐｒｏｃｅｓｓｉｎｇ  Ｕｎｉｔ））が記録媒体に記録されているプログラムコードを読み出し実行することによっても、達成可能である。
【０１３２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、又はマスクＲＯＭ／ＥＰＲＯＭ／ＥＥＰＲＯＭ／フラッシュＲＯＭ等の半導体メモリ系などを用いることができる。
【０１３３】
また、ビデオディスクプレーヤを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等が利用可能である。
【０１３４】
また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３５】
また、本発明の再生装置、データ再生方法、制御プログラムおよび記録媒体は、上述の図示例にのみ限定されるものではなく、本発明の要旨を逸脱しない範囲内において種々変更を加え得ることは勿論である。
【図面の簡単な説明】
【０１３６】
【図１】本発明の第１の実施形態における再生装置の概略構成を示すブロック図である。
【図２】本発明に係る再生装置の再生部の概略構成を示すブロック図である。
【図３】本発明に係る再生装置の全体制御部の状態遷移を示す説明図である。
【図４】本発明の第１の実施形態における再生装置の出力部による表示装置への出力映像形態の一例である。
【図５】本発明に係る再生装置の全体の処理の流れを示すフローチャートである。
【図６】本発明に係る再生装置の全体制御部が、ユーザ操作部からの操作情報をハンドリング処理する流れを示すフローチャートである。
【図７】本発明に係る再生装置の全体制御部が、再生部から受け取った状態通知をハンドリング処理する流れを示すフローチャートである。
【図８】本発明に係る再生装置の全体制御部におけるメニュー画面オープン/クローズ処理の流れを示すフローチャートである。
【図９】本発明の第２の実施形態における再生装置の概略構成を示すブロック図である。
【図１０】本発明の第２の実施形態における再生装置の全体制御部におけるメニュー画面オープン/クローズ処理の流れを示すフローチャートである。
【図１１】本発明の第２の実施形態における再生装置の出力部による表示装置への出力映像形態の一例である。
【図１２】本発明の第３の実施形態における再生装置の概略構成を示すブロック図である。
【符号の説明】
【０１３７】
１、２、３  ビデオディスクプレーヤ
１０  光ディスク
２０  ディスク読み出し部
３０  状態管理部
４０  全体制御部
５０  ユーザ操作部
６０、７０  再生部
６１  ディスク読み出し部とのＩ／Ｆ
６２  全体制御部とのＩ／Ｆ
６３  ナビゲーション・マネージャ
６４  プレゼンテーション・エンジン
８０、８１、８２  出力部
９０  読取制御部
１００  メニュー保持部
【図１】
0004855372.tif 000002
【図２】
0004855372.tif 000003
【図３】
0004855372.tif 000004
【図４】
0004855372.tif 000005
【図５】
0004855372.tif 000006
【図６】
0004855372.tif 000007
【図７】
0004855372.tif 000008
【図８】
0004855372.tif 000009
【図９】
0004855372.tif 000010
【図１０】
0004855372.tif 000011
【図１１】
0004855372.tif 000012
【図１２】
0004855372.tif 000013